(57)【特許請求の範囲】
【請求項１】
サウンディング参照信号の送信を制御する方法であって、
システムの無線フレームにおけるダウンリンクからアップリンクまでの転換点の数およびシステムフレーム番号に従って、第１パラメーター値を決定することと、
前記無線フレームにおけるダウンリンクからアップリンクまでの転換点の数およびタイムスロット番号に従って、第２パラメーター値を決定することと、
サウンディング参照信号のサブフレームオフセットに従って、第３パラメーター値を決定することと、
サウンディング参照信号の送信を制御するように、前記第１パラメーター値、前記第２パラメーター値、前記第３パラメーター値に従って、サウンディング参照信号の送信回数を決定することと
を含み、
前記第１パラメーター値ｎ１は、
ｎ１＝２ＮＳＰｎｆ
によって決定され、
ＮＳＰは、前記無線フレームにおけるダウンリンクからアップリンクまでの転換点の数であり、ｎｆは、前記システムフレーム番号であり、ＮＳＰ、ｎｆは、非負整数であり、
前記第２パラメーター値ｎ２は、
【数３１】
0005404793.tif 000048
によって決定され、
ＮＳＰは、前記無線フレームにおけるダウンリンクからアップリンクまでの転換点の数であり、ｎＳは、タイムスロット番号であり、
【数３２】
0005404793.tif 000049
は、ラウンディングダウンを示し、ＮＳＰ、ｎＳは、非負整数であり、
前記第３パラメーター値ｎ３は、
【数３３】
0005404793.tif 000050
によって決定され、
Ｔｏｆｆｓｅｔは、前記サウンディング参照信号のサブフレームオフセットであり、Ｔｏｆｆｓｅｔ＿ｍａｘは、前記サウンディング参照信号のサブフレームオフセットの最大値であり、Ｔｏｆｆｓｅｔは、非負整数であり、
【数３４】
0005404793.tif 000051
は、ラウンディングダウンを示し、
前記サウンディング参照信号の送信回数ｎＳＲＳは、
【数３５】
0005404793.tif 000052
によって決定され、
ｎ１＝２ＮＳＰｎｆは、前記第１パラメーター値であり、
【数３６】
0005404793.tif 000053
は、前記第２パラメーター値であり、
【数３７】
0005404793.tif 000054
は、前記第３パラメーター値である、方法。
【請求項２】
前記サウンディング参照信号の送信回数は、前記第１パラメーター値、前記第２パラメーター値、前記第３パラメーター値に従って決定され、
具体的には、前記第１パラメーター値と、前記第２パラメーター値と、前記第３パラメーター値との和を前記サウンディング参照信号の送信回数として扱うことを含む、請求項１に記載の方法。
【請求項３】
サウンディング参照信号の送信を制御する方法であって、
システムの無線フレームにおけるダウンリンクからアップリンクまでの転換点の数、システムフレーム番号、タイムスロット番号、サウンディング参照信号のサブフレームオフセットを入力するために用いられる入力モジュールと、
前記システムの無線フレームにおけるダウンリンクからアップリンクまでの転換点の数、前記システムフレーム番号に従って、第１パラメーター値を決定するために用いられる第一処理モジュールと、
前記無線フレームにおけるダウンリンクからアップリンクまでの転換点の数、前記タイムスロット番号に従って、第２パラメーター値を決定するために用いられる第二処理モジュールと、
前記サウンディング参照信号のサブフレームオフセットに従って、第３パラメーター値を決定するために用いられる第三処理モジュールと、
前記第一処理モジュールによって決定された前記第１パラメーター値、前記第二処理モジュールによって決定された前記第２パラメーター値、前記第三処理モジュールによって決定された前記第３パラメーター値に従って、サウンディング参照信号の送信回数を決定するために用いられる制御モジュールと
を含み、
前記第１パラメーター値ｎ１は、
ｎ１＝２ＮＳＰｎｆ
によって決定され、
ＮＳＰは、前記無線フレームにおけるダウンリンクからアップリンクまでの転換点の数であり、ｎｆは、前記システムフレーム番号であり、ＮＳＰ、ｎｆは、非負整数であり、
前記第２パラメーター値ｎ２は、
【数３８】
0005404793.tif 000055
によって決定され、
ＮＳＰは、前記無線フレームにおけるダウンリンクからアップリンクまでの転換点の数であり、ｎＳは、タイムスロット番号であり、
【数３９】
0005404793.tif 000056
は、ラウンディングダウンを示し、ＮＳＰ、ｎＳは、非負整数であり、
前記第３パラメーター値ｎ３は、
【数４０】
0005404793.tif 000057
によって決定され、
Ｔｏｆｆｓｅｔは、前記サウンディング参照信号のサブフレームオフセットであり、Ｔｏｆｆｓｅｔ＿ｍａｘは、前記サウンディング参照信号のサブフレームオフセットの最大値であり、Ｔｏｆｆｓｅｔは、非負整数であり、
【数４１】
0005404793.tif 000058
は、ラウンディングダウンを示し、
前記サウンディング参照信号の送信回数ｎＳＲＳは、
【数４２】
0005404793.tif 000059
によって決定され、
ｎ１＝２ＮＳＰｎｆは、前記第１パラメーター値であり、
【数４３】
0005404793.tif 000060
は、前記第２パラメーター値であり、
【数４４】
0005404793.tif 000061
は、前記第３パラメーター値である、装置。
【請求項４】
前記制御モジュールは、加算器である、請求項３に記載の装置。
【発明の詳細な説明】
【技術分野】
【０００１】
本発明は、通信領域に関し、特に信号送信制御方法及び装置に関する。
【背景技術】
【０００２】
ＬＴＥシステムの時分割複信（Ｔｉｍｅ  Ｄｉｖｉｓｉｏｎ  Ｄｕｐｌｅｘ、ＴＤＤと略称）モードのもとでのフレーム構造は、また第二種類のフレーム構造（即ち、ｆｒａｍｅ  ｓｔｒｕｃｔｕｒｅ  ｔｙｐｅ  ２）とも称され、図１がこのフレーム構造を示す図である。図１に示すように、このようなフレーム構造では、１つの１０ｍｓ（３０７２００Ｔｓ、１ｍｓ＝３０７２０Ｔｓ）の無線フレームが２つのハーフフレームに分けられ、ハーフフレームごとの長さが５ｍｓ（１５３６００Ｔｓ）であり、かつ、ハーフフレームごとに長さが１ｍｓであるサブフレームが５つ含まれる。
【０００３】
表１は、図１に示すようなフレーム構造におけるサブフレームごとのアップリンク信号／ダウンリンク信号の配置の状況を示す。その中には、Ｄがダウンリンク信号を伝送するためのダウンリンクサブフレームを示し、Ｕがアップリンク信号を伝送するためのアップリンクサブフレーム（または、普通アップリンクサブフレームと称される）を示す。なお、１つのアップリンク／ダウンリンクサブフレームがまた２つの０．５ｍｓのタイムスロットにも分けられ、Ｓが特殊なサブフレームを示し、特殊なサブフレームに３つの特殊なタイムスロットが含まれ、即ち、ダウンリンクパイロットタイムタイムスロット（Ｄｏｗｎｌｉｎｋ  Ｐｉｌｏｔ  Ｔｉｍｅ  Ｓｌｏｔ、ＤｗＰＴＳと略称）、保護間隔（Ｇｕａｒｄ  Ｐｅｒｉｏｄ、ＧＰと略称）及びアップリンクパイロットタイムタイムスロット（Ｕｐｌｉｎｋ  Ｐｉｌｏｔ  Ｔｉｍｅ  Ｓｌｏｔ、ＵｐＰＴＳと略称）である。実際のシステムにおいて、アップリンク／ダウンリンク配置のインデックスは放送メッセージによりユーザ端末（Ｕｓｅｒ  Ｅｑｕｉｐｍｅｎｔ、ＵＥと略称）に知らせられる。
【０００４】
ＬＴＥシステムにおけるリソース割り当ては、フィジカルリソースブロック（Ｐｈｙｓｉｃａｌ  Ｒｅｓｏｕｒｃｅ  Ｂｌｏｃｋ、ＰＲＢと略称、または、リソースブロックと称され、Ｒｅｓｏｕｒｃｅ  Ｂｌｏｃｋ、ＲＢと略称）を単位とする。その中には、各ＰＲＢが周波数領域で１２個のサブキャリア（ｓｕｂ−ｃａｒｒｉｅｒ、または、Ｒｅｓｏｕｒｃｅ  Ｅｌｅｍｅｎｔと称され、ＲＥと略称、各サブキャリアが１５ｋＨｚである）を占め、時間領域で１つのタイムスロットを占め、即ち、時間領域で７つのノーマルサイクリックプリフィクス（Ｎｏｒｍａｌ  ｃｙｃｌｉｃ  ｐｒｅｆｉｘ、Ｎｏｒｍａｌ  ＣＰと略称）または６つのエクステンディドサイクリックプリフィクス（Ｅｘｔｅｎｄｅｄ  ｃｙｃｌｉｃ  ｐｒｅｆｉｘ、Ｅｘｔｅｎｄｅｄ  ＣＰと略称）を占めるシングルキャリア周波数分割多重アクセス（Ｓｉｎｇｌｅ  Ｃａｒｒｉｅｒ  -  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡと略称）符号である。上りシステム帯域幅が周波数領域で対応するＲＢの総数が
【０００５】
【数１】
0005404793.tif 000002
であると、ＲＢのインデックスは、
【０００６】
【数２】
0005404793.tif 000003
であり、ＲＥのインデックスは、
【０００７】
【数３】
0005404793.tif 000004
であり、その中、
【０００８】
【数４】
0005404793.tif 000005
が１つのＲＢが周波数領域で対応するサブキャリアの数である。図２に示すように、ノーマルサイクリックプリフィクスを例として、ＰＲＢの構造は、１つのＰＲＢが周波数領域で１２個のＲＥを占め、時間領域で７つのＮｏｒｍａｌ  ＣＰを占め、上りシステム帯域幅が周波数領域で対応するＲＢの総数が
【０００９】
【数５】
0005404793.tif 000006
であり、ＲＢのインデックスが
【００１０】
【数６】
0005404793.tif 000007
であり、ＲＥのインデックスが
【００１１】
【数７】
0005404793.tif 000008
である。
【００１２】
【表１】
0005404793.tif 000009
サウンディング参照信号（Ｓｏｕｎｄｉｎｇ  Ｒｅｆｅｒｅｎｃｅ  Ｓｉｇｎａｌ、ＳＲＳと略称）の帯域幅は、ツリー構造を採用して配置され、即ち、１種類あたりのＳＲＳ帯域幅配置（ＳＲＳ  ｂａｎｄｗｉｄｔｈ  ｃｏｎｆｉｇｕｒａｔｉｏｎ）は１つのツリー構造に対応し、当該ツリー構造が図３に示すようなものである。その中には、最高層のＳＲＳ帯域幅（ＳＲＳ−Ｂａｎｄｗｉｄｔｈ）がこのようなＳＲＳ帯域幅配置の最大の帯域幅に対応し、表２〜表５に異なるアップリンク帯域幅範囲でのＳＲＳ帯域幅配置の状況を示した。表２を例として、ＲＢの数は
【００１３】
【数８】
0005404793.tif 000010
であり、その中、ＳＲＳ帯域幅配置が１であり、ｂ＝０が第一層であって、ツリー構造の最高層であり、この層のＳＲＳ帯域幅が３２個のＰＲＢが対応する帯域幅であり、このＳＲＳ帯域幅配置の最大ＳＲＳ帯域幅であり、ｂ＝１が第二層であり、この層のＳＲＳ帯域幅が１６個のＰＲＢが対応する帯域幅であり、且つ上一層の１つのＳＲＳ帯域幅が２つの第二層のＳＲＳ帯域幅に分けられ、ｂ＝２が第三層であり、この層のＳＲＳ帯域幅が８つのＰＲＢが対応する帯域幅であり、且つ上一層の１つＳＲＳ帯域幅が２つの第三層のＳＲＳ帯域幅に分けられ、ｂ＝３が第四層であり、この層のＳＲＳ帯域幅が４つＰＲＢが対応する帯域幅であり、且つ上一層の１つのＳＲＳ帯域幅が２つの第四層のＳＲＳ帯域幅に分けられる。表３〜表５は、それぞれＲＢの数が
【００１４】
【数９】
0005404793.tif 000011
である場合、ＳＲＳ帯域幅の配置の状況を示す。その他、図４に示すように、同一のＳＲＳ周波数帯域でＳＲＳ信号のサブキャリアは、間隔で放置され、このような櫛状構造が更に多くのユーザーが同一のＳＲＳ帯域幅でＳＲＳ信号を送信することを許する。
【００１５】
【表２】
0005404793.tif 000012
【００１６】
【表３】
0005404793.tif 000013
【００１７】
【表４】
0005404793.tif 000014
【００１８】
【表５−１】
0005404793.tif 000015
【００１９】
【表５−２】
0005404793.tif 000016
上記に示したＳＲＳ帯域幅配置の状況に対して、１つのＵＥに割り当てられたＳＲＳ帯域幅が最大ＳＲＳ帯域幅よりも小さい場合、最大ＳＲＳ帯域幅の範囲での全ての周波数帯域がＳＲＳを送信するように、周波数ホッピングの方式を用いることが必要である。周波数ホッピングの算法がＳＲＳの送信回数に基づき、そのため、ＳＲＳの送信回数が連続して逓増ことが要求される。その他、周波数ホッピングのプロセスを制御させられるように、同一ＳＲＳ周期のＵＥが同一時点にＳＲＳの送信回数が同じとなることが要求される。
【００２０】
ＴＤＤシステムに対して、ＵＥのＳＲＳ信号の送信位置は、基地局からＵＥ専用（ＵＥ  ｓｐｅｃｉｆｉｃ）シナリングにより知られる。ＵＥ専用シナリングとは、このシナリングがある特定なＵＥのみに送信されるものである。基地局はＵＥ  ｓｐｅｃｉｆｉｃのＳＲＳ周期及びサブフレームオフセットの配置インデックスをＵＥに知らせ、各配置インデックスが１つの周期及びサブフレームオフセットに対応し、当該配置が対応する状況が表６に示すようなものである。
【００２１】
【表６−１】
0005404793.tif 000017
【００２２】
【表６−２】
0005404793.tif 000018
表６において、サブフレームオフセット（ＳＲＳ  Ｓｕｂｆｒａｍｅ  Ｏｆｆｓｅｔ）の意味は、以下のような２種類の情況を含むことができる。
【００２３】
状況１、２ｍｓのＳＲＳ周期について
（１）サブフレームオフセットＮｏｆｆｓｅｔが２、３、４、であり、それぞれ１つのハーフフレームでの１つ目、２つ目及び３つ目のアップリンクサブフレームを代表する。
（２）ＵｐＰＴＳに２つのＳＣ−ＦＤＭＡ符号がある場合、サブフレームオフセット０がＵｐＰＴＳでの１つ目のＳＣ−ＦＤＭＡ符号を代表し、サブフレームオフセット１がＵｐＰＴＳでの２つ目のＳＣ−ＦＤＭＡ符号を代表し、ＵｐＰＴＳに１つのＳＣ−ＦＤＭＡ符号がある場合、サブフレームオフセット０または１がＵｐＰＴＳでの唯一のＳＣ−ＦＤＭＡ符号を代表する。
【００２４】
状況２、２ｍｓよりも大きいＳＲＳ周期について、１つのＳＲＳ周期ＴＳＲＳが
【００２５】
【数１０】
0005404793.tif 000019
のハーフフレームを含む。
（１）サブフレームオフセットＮｏｆｆｓｅｔが
【００２６】
【数１１】
0005404793.tif 000020
を満足する場合、
ＵｐＰＴＳに２つの符号があると、Ｎｏｆｆｓｅｔｍｏｄ５＝０、１がそれぞれ
【００２７】
【数１２】
0005404793.tif 000021
個目のハーフフレームでのＵｐＰＴＳ上の１つ目と２つ目のＳＣ−ＦＤＭＡ符号を代表し、
ＵｐＰＴＳに２つの符号があると、Ｎｏｆｆｓｅｔｍｏｄ５＝０または１が
【００２８】
【数１３】
0005404793.tif 000022
個目のハーフフレームでのＵｐＰＴＳ上の唯一のＳＣ−ＦＤＭ符号を代表し、
（２）サブフレームオフセットＮｏｆｆｓｅｔが（Ｎｏｆｆｓｅｔｍｏｄ５）＞１を満足する場合、Ｎｏｆｆｓｅｔが１つのＳＲＳ周期での
【００２９】
【数１４】
0005404793.tif 000023
個目のハーフフレームの（Ｎｏｆｆｓｅｔｍｏｄ５）−２＋１個目のアップリンクサブフレームを示す。
【００３０】
現在、ＳＲＳの送信回数は、公式
【００３１】
【数１５】
0005404793.tif 000024
によって計算される。ＳＲＳ周期が２ｍｓよりも大きい場合、この公式によって計算されたＳＲＳの送信回数が要求を満足されるが、ＳＲＳ周期が２ｍｓである場合、この公式によって計算されたＳＲＳの送信回数が連続ではない。例えば、表６における配置０に対して、１つの無線フレームに２つのダウンリンクからアップリンクまでの転換点がある場合、ＳＲＳがＵｐＰＴＳ
【００３２】
【数１６】
0005404793.tif 000025
上の２つの符号でのＳＲＳの送信回数が等しくて、連続して逓増しなくて、要求に達成しない。
【００３３】
現在、ＳＲＳ周期が２ｍｓである場合、サウンディング参照信号の送信回数の計算結果が連続しない課題に対しては、まだ有効な解決案が提案されない。
【発明の概要】
【発明が解決しようとする課題】
【００３４】
そこで、本発明は、相関技術に存在する、ＳＲＳ周期が２ｍｓである場合、サウンディング参照信号の送信回数の計算結果が連続しない問題点に鑑みてなされたものであり、本発明の主な目的とするところは、上記の課題を解決するために、改良された信号送信制御方案を提供することにある。
【課題を解決するための手段】
【００３５】
上記の目的を実現するために、本発明のある観点によれば、システムの１つの無線フレームでのダウンリンクからアップリンクまでの転換点の数、システムフレーム番号により第１パラメーター値を確定し、１つの無線フレームでのダウンリンクからアップリンクまでの転換点の数、タイムスロット番号により第２パラメーター値を確定し、信号のサブフレームオフセットから第３パラメーター値を確定し、信号の送信を制御するように、第１パラメーター値、第２パラメーター値、第３パラメーター値により信号の送信回数を確定する信号送信制御方法。
【００３６】
好適に、第１パラメーター値、第２パラメーター値、第３パラメーター値により信号の送信回数を確定し、具体的に、第１パラメーター値と、第２パラメーター値と、第３パラメーター値との和を信号の送信回数とする。
【００３７】
好適に、以下の公式によって第１パラメーター値ｎ１を確定することができ、ｎ１＝２ＮＳＰｎｆ、その中には、ＮＳＰが１つの無線フレームでのダウンリンクからアップリンクまでの転換点の数であり、ｎｆがシステムフレーム番号である。
【００３８】
好適に、以下の公式によって第２パラメーター値ｎ２を確定することができ、
【００３９】
【数１７】
0005404793.tif 000026
その中にはＮＳＰが１つの無線フレームでのダウンリンクからアップリンクまでの転換点の数であり、ｎＳがタイムスロット番号である。
【００４０】
好適に、以下の公式によって第３パラメーター値ｎ３を確定することができ、
【００４１】
【数１８】
0005404793.tif 000027
その中には、Ｔｏｆｆｓｅｔが信号のサブフレームオフセットであり、Ｔｏｆｆｓｅｔ＿ｍａｘが信号のサブフレームオフセットの最大値である。
【００４２】
好適に、以下の公式によって信号の送信回数ｎＳＲＳを確定することができ、
【００４３】
【数１９】
0005404793.tif 000028
その中には、ｎ１＝２ＮＳＰｎｆが第１パラメーター値であり、
【００４４】
【数２０】
0005404793.tif 000029
が第２パラメーター値であり、
【００４５】
【数２１】
0005404793.tif 000030
が第３パラメーター値であり、ＮＳＰが１つの無線フレームでのダウンリンクからアップリンクまでの転換点の数であり、ｎｆがシステムフレーム番号であり、ｎｓがタイムスロット番号であり、Ｔｏｆｆｓｅｔが信号のサブフレームオフセットであり、Ｔｏｆｆｓｅｔ＿ｍａｘが信号のサブフレームオフセットの最大値である。
【００４６】
その中には、上記の
【００４７】
【数２２】
0005404793.tif 000031
は、ｆｌｏｏｒ（ｘ）を示し、ＮＳＰ、ｎｆ、ｎｓ、Ｔｏｆｆｓｅｔは、すべて非負整数である。
【００４８】
また、上記の目的を実現するために、本発明の別の観点によれば、システムの１つの無線フレームでのダウンリンクからアップリンクまでの転換点の数、システムフレーム番号、タイムスロット番号、信号のサブフレームオフセットを入力する入力モジュールと、システムの１つの無線フレームでのダウンリンクからアップリンクまでの転換点の数、システムフレーム番号により第１パラメーター値を確定する第一処理モジュールと、１つの無線フレームでのダウンリンクからアップリンクまでの転換点の数、タイムスロット番号により第２パラメーター値を確定する第二処理モジュールと、信号のサブフレームオフセットにより第３パラメーター値を確定する第三処理モジュールと、第一処理モジュールが確定した第１パラメーター値、第二処理モジュールが確定した第２パラメーター値、第三処理モジュールが確定した第３パラメーター値により信号の送信回数を確定する制御モジュールと、を含む信号送信制御装置。
【００４９】
好適に、前記制御モジュールは、加算器であってよい。
本発明は、例えば、以下を提供する。
（項目１）
システムの１つの無線フレームでのダウンリンクからアップリンクまでの転換点の数、システムフレーム番号により第１パラメーター値を確定し、
上記１つの無線フレームでのダウンリンクからアップリンクまでの転換点の数、タイムスロット番号により第２パラメーター値を確定し、
信号のサブフレームオフセットにより第３パラメーター値を確定し、
信号の送信を制御するように、上記第１パラメーター値、上記第２パラメーター値、上記第３パラメーター値により信号の送信回数を確定する、
ことを含むことを特徴とする信号送信制御方法。
（項目２）
上記第１パラメーター値、上記第２パラメーター値、上記第３パラメーター値により上記信号の送信回数を確定し、具体的に、
上記第１パラメーター値と、上記第２パラメーター値と、上記第３パラメーター値との和を上記信号の送信回数とすることを特徴とする項目１に記載の方法。
（項目３）
以下の公式によって上記第１パラメーター値ｎ１を確定し、
ｎ１＝２ＮＳＰｎｆ、
その中には、ＮＳＰが上記１つの無線フレームでのダウンリンクからアップリンクまでの転換点の数であり、ｎｆが上記システムフレーム番号であり、ＮＳＰ、ｎｆが非負整数であることを特徴とする項目１または２に記載の方法。
（項目４）
以下の公式によって上記第２パラメーター値ｎ２を確定し、
【数３１】
0005404793.tif 000032
その中には、ＮＳＰが上記１つの無線フレームでのダウンリンクからアップリンクまでの転換点の数であり、ｎＳがタイムスロット番号であり、
【数３２】
0005404793.tif 000033
がｆｌｏｏｒ（ｘ）を示し、ＮＳＰ、ｎＳが非負整数であることを特徴とする項目１または２に記載の方法。
（項目５）
以下の公式によって上記第３パラメーター値ｎ３を確定し、
【数３３】
0005404793.tif 000034
その中には、Ｔｏｆｆｓｅｔが上記信号のサブフレームオフセットであり、Ｔｏｆｆｓｅｔ＿ｍａｘが上記信号のサブフレームオフセットの最大値であり、Ｔｏｆｆｓｅｔが非負整数であり、
【数３４】
0005404793.tif 000035
がｆｌｏｏｒ（ｘ）を示すことを特徴とする項目１または２に記載の方法。
（項目６）
以下の公式によって上記信号の送信回数ｎＳＲＳを確定し、
【数３５】
0005404793.tif 000036
その中には、ｎ１＝２ＮＳＰｎｆが上記第１パラメーター値であり、
【数３６】
0005404793.tif 000037
が上記第２パラメーター値であり、
【数３７】
0005404793.tif 000038
が前期第３パラメーター値であり、ＮＳＰが上記１つの無線フレームでのダウンリンクからアップリンクまでの転換点の数であり、ｎｆが上記システムフレーム番号であり、ｎＳが上記タイムスロット番号であり、Ｔｏｆｆｓｅｔが上記信号のサブフレームオフセットであり、Ｔｏｆｆｓｅｔ＿ｍａｘが上記信号のサブフレームオフセットの最大値であり、
【数３８】
0005404793.tif 000039
がｆｌｏｏｒ（ｘ）を示し、ＮＳＰ、ｎｆ、ｎＳ、Ｔｏｆｆｓｅｔがすべて非負整数であることを特徴とする項目１または２に記載の方法。
（項目７）
システムの１つの無線フレームでのダウンリンクからアップリンクまでの転換点の数、システムフレーム番号、タイムスロット番号、信号のサブフレームオフセットを入力する入力モジュールと、
上記システムの１つの無線フレームでのダウンリンクからアップリンクまでの転換点の数、上記システムフレーム番号により第１パラメーター値を確定する第一処理モジュールと、
上記１つの無線フレームでのダウンリンクからアップリンクまでの転換点の数、上記タイムスロット番号により第２パラメーター値を確定する第二処理モジュールと、
上記信号のサブフレームオフセットにより第３パラメーター値を確定する第三処理モジュールと、
上記第一処理モジュールが確定した上記第１パラメーター値、上記第二処理モジュールが確定した上記第２パラメーター値、上記第三処理モジュールが確定した上記第３パラメーター値により信号の送信回数を確定する制御モジュールと、
を含むことを特徴とする信号送信制御装置。
（項目８）
上記制御モジュールは、加算器であることを特徴とする項目７に記載の装置。
【発明の効果】
【００５０】
本発明の上記の少なくとも１つの技術方案に借りて、相関するパラメーターから相応するパラメーター値を計算し、かつ、これらのパラメーター値との和を信号の送信回数をとすることで、連続するＳＲＳの送信回数を計算することができて、同一ＳＲＳ周期のＵＥが同一の時点に同じＳＲＳの送信回数を持たせるようにすることで、理想的な周波数ホッピング性能を得る。
【図面の簡単な説明】
【００５１】
添付図面は、本発明をさらに説明する用であり、本発明の一部を構成し、本発明の実施例とともに、本発明を解釈する用であり、本発明に対する限定ではない。
【図１】相関する技術によるＬＴＥシステムＴＤＤモードのフレーム構造を示す図である。
【図２】相関する技術によるフィジカルリソースブロックの構造を示す図である。
【図３】相関する技術によるＳＲＳ帯域幅のツリー構造を示す図である。
【図４】相関する技術によるＳＲＳ信号の櫛状構造を示す図である。
【図５】本発明の方法に係る実施例による信号送信制御方法を示すフローチャートである。
【図６】本発明の装置の実施例による信号送信制御装置を示すブロック図である。
【発明を実施するための形態】
【００５２】
機能の概述
本発明の実施例が提供する技術方案においては、相関するパラメーター（１つの無線フレームでのダウンリンクからアップリンクまでの転換点の数、システムフレーム番号、タイムスロット番号、信号のサブフレームオフセット、信号のサブフレームオフセットの最大値）により相応するパラメーター値（第１パラメーター値、第２パラメーター値、第３パラメーター値）を計算し、そして、これらのパラメーター値の和を信号の送信回数することで、連続するＳＲＳの送信回数を計算することができる。
【００５３】
以下に添付図面を参照しながら、本発明を詳述する。なお、衝突しないと、本発明の実施例及びその特徴は、互いに組み合わせてもよい。
【００５４】
方法の実施例
本発明の実施例によると、信号送信制御方法が提供することにある。
【００５５】
図５は、本発明の方法に係る実施例による信号送信制御方法を示すフローチャートである。図５に示すように、当該方法は、ステップＳ５０２〜ステップＳ５０８を含む。
【００５６】
ステップＳ５０２においては、システムの１つの無線フレームでのダウンリンクからアップリンクまでの転換点の数、システムフレーム番号により第１パラメーター値を確定する。
【００５７】
ステップＳ５０４においては、１つの無線フレームでのダウンリンクからアップリンクまでの転換点の数、タイムスロット番号により第２パラメーター値を確定する。
【００５８】
ステップ５０６においては、信号のサブフレームオフセット量（即ち、サブフレームオフセット）により第３パラメーター値を確定する。
【００５９】
ステップ５０８においては、信号の送信を制御するように、第１パラメーター値、第２パラメーター値、第３パラメーター値により信号の送信回数を確定する。
【００６０】
以下、上記の処理プロセスの細部を詳しく説明する。同一ＳＲＳ周期のＵＥが同一の時点に同じＳＲＳの送信回数を持たせ、かつ、１つのＵＥに対しては、回数が連続して逓増するために、まず、第１パラメーター値、第２パラメーター値、第３パラメーター値を確定し、即ち、ステップＳ５０２〜ステップＳ５０６を実行して、さらに、確定されたパラメーター値により信号の送信回数を確定し、即ち、ステップＳ５０８を実行する。その中には、１つのＳＲＳ周期が１つまたは複数のサブフレームオフセットに対応する。
【００６１】
具体的な実施プロセスにおいて、相関するパラメーターにより相応するパラメーター値を計算する処理プロセスはシステムの１つの無線フレームでのダウンリンクからアップリンクまでの転換点の数（即ち、ＮＳＰ）、システムフレーム番号（即ち、ｎｆ）により第１パラメーター値ｎ１を確定し、即ち、ｎ１＝２ＮＳＰｎｆの数値を計算することが可能な１パラメーター値を確定するステップＳ５０２と、１つの無線フレームでのダウンリンクからアップリンクまでの転換点の数（即ち、ＮＳＰ）、タイムスロット番号（即ち、ｎＳ）第２パラメーター値ｎ２を確定し、即ち、
【００６２】
【数２３】
0005404793.tif 000040
の数値を計算する可能な第２パラメーター値を確定するステップＳ５０４と、信号のサブフレームオフセット（即ち、Ｔｏｆｆｓｅｔ、Ｔｏｆｆｓｅｔ＿ｍａｘが信号のサブフレームオフセットの最大値である）から第３パラメーター値ｎ３を確定し、即ち、
【００６３】
【数２４】
0005404793.tif 000041
の数値を計算する可能な第３パラメーター値を確定するステップ５０６と、を備える。
【００６４】
各パラメーター値を確定したのちに、信号の送信回数ｎＳＲＳを確定することができ、即ち、第１パラメーター値、第２パラメーター値、第３パラメーター値との和を信号の送信回数ｎＳＥＳ、
【００６５】
【数２５】
0005404793.tif 000042
をとする。その中には、ｎ１＝２ＮＳＰｎｆが第１パラメーター値であり、
【００６６】
【数２６】
0005404793.tif 000043
が第２パラメーター値であり、
【００６７】
【数２７】
0005404793.tif 000044
が第３パラメーター値であり、ＮＳＰが１つの無線フレームでのダウンリンクからアップリンクまでの転換点の数であり、ｎｆがシステムフレーム番号であり、ｎＳがタイムスロット番号であり、Ｔｏｆｆｓｅｔが信号のサブフレームオフセットであり、Ｔｏｆｆｓｅｔ＿ｍａｘが信号のサブフレームオフセットの最大値であり、即ち、Ｔｏｆｆｓｅｔ＿ｍａｘが１つのＵＥに割り当てられたＳＲＳ信号の全てのサブフレームオフセットのうち最大値であり、
【００６８】
【数２８】
0005404793.tif 000045
がｆｌｏｏｒ（ｘ）を示し、その中には、ＮＳＰ、ｎｆ、ｎＳ、Ｔｏｆｆｓｅｔがすべて非負整数である。
【００６９】
上記の実施例において、本発明に係る実施例に記載の信号の送信回数の計算方法に借りて、連続するＳＲＳの送信回数を計算することができて、同一ＳＲＳ周期のＵＥが同一の時点に同じＳＲＳの送信回数を持たせるようにして、さらに理想的な周波数ホッピング性能を得る。
【００７０】
以下、好適な実施例により本発明を詳しく説明する。
実施例１、
まず、各パラメーター値を確定する。選んだＵＥ専用のＳＲＳ周期及びサブフレームオフセット配置が対応する周期は２ｍｓであり、サブフレームオフセットは｛０、１｝である場合、Ｔｏｆｆｓｅｔ＿ｍａｘ、Ｔｏｆｆｓｅｔ＝０または１である。このＵＥはＵｐＰＴＳ上の２つ符号でＳＲＳを送信し、ｎＳ＝３または１３、アップリンク／ダウンリンク配置が１を選ぶ場合、１つの無線フレームに２つのダウンリンクからアップリンクまでの転換点があり、即ち、ＮＳＰ＝２である。
【００７１】
次に、前記パラメーターの数値を公式
【００７２】
【数２９】
0005404793.tif 000046
に代入する場合、以下の通りである。
【００７３】
（一）ｎｆ＝２のサブフレームにおいては、このＵＥがＳＲＳを送信する回数は、８、９、１０、１１であり、即ち、ＮＳＰ＝２、ｎｆ＝２、ｎＳ＝３、Ｔｏｆｆｓｅｔ＝０、Ｔｏｆｆｓｅｔ＿ｍａｘ＝１の場合、ｎＳＲＳ＝８であり、ＮＳＰ＝２、ｎｆ＝２、ｎＳ＝３、Ｔｏｆｆｓｅｔ＝１、Ｔｏｆｆｓｅｔ＿ｍａｘ＝１の場合、ｎＳＲＳ＝９であり、ＮＳＰ＝２、ｎｆ＝２、ｎＳ＝１３、Ｔｏｆｆｓｅｔ＝０、Ｔｏｆｆｓｅｔ＿ｍａｘ＝１の場合、ｎＳＲＳ＝１０であり、ＮＳＰ＝２、ｎｆ＝２、ｎＳ＝１３、Ｔｏｆｆｓｅｔ＝１、Ｔｏｆｆｓｅｔ＿ｍａｘ＝１の場合、ｎＳＲＳ＝１１である。
【００７４】
（二）ｎｆ＝３のサブフレームにおいては、このＵＥがＳＲＳを送信する回数は、１２、１３、１４、１５であり、即ち、ＮＳＰ＝２、ｎｆ＝３、ｎＳ＝３、Ｔｏｆｆｓｅｔ＝０、Ｔｏｆｆｓｅｔ＿ｍａｘ＝１の場合、ｎＳＲＳ＝１２であり、ＮＳＰ＝２、ｎｆ＝３、ｎＳ＝３、Ｔｏｆｆｓｅｔ＝１、Ｔｏｆｆｓｅｔ＿ｍａｘ＝１の場合、ｎＳＲＳ＝１３であり、ＮＳＰ＝２、ｎｆ＝３、ｎＳ＝１３、Ｔｏｆｆｓｅｔ＝０、Ｔｏｆｆｓｅｔ＿ｍａｘ＝１の場合、ｎＳＲＳ＝１４であり、ＮＳＰ＝２、ｎｆ＝３、ｎＳ＝１３、Ｔｏｆｆｓｅｔ＝１、Ｔｏｆｆｓｅｔ＿ｍａｘ＝１の場合、ｎＳＲＳ＝１５である。
【００７５】
上記の計算結果から見て、ＳＲＳの送信回数が連続して逓増する。
【００７６】
実施例２、
まず、各パラメーター値を確定する。選んだＵＥ専用のＳＲＳ周期及びサブフレームオフセット配置が対応する周期は２ｍｓであり、サブフレームオフセットは｛１、４｝である場合、Ｔｏｆｆｓｅｔ＿ｍａｘ＝４、Ｔｏｆｆｓｅｔ＝１または４である。このＵＥはＵｐＰＴＳ上の２つ目の符号及び１つのハーフフレームでの３つ目のアップリンクサブフレームでＳＲＳを送信し、ｎＳ＝３または１９、アップリンク／ダウンリンク配置が０を選ぶ場合、１つの無線フレームに２つのダウンリンクからアップリンクまでの転換点があり、即ち、ＮＳＰ＝２である。
【００７７】
次に、前記パラメーターの数値を公式
【００７８】
【数３０】
0005404793.tif 000047
に代入する。
【００７９】
（一）ｎｆ＝２のサブフレームにおいては、このＵＥがＳＲＳを送信する回数は、８、９、１０、１１であり、即ち、即ち、ＮＳＰ＝２、ｎｆ＝２、ｎＳ＝３、Ｔｏｆｆｓｅｔ＝１、Ｔｏｆｆｓｅｔ＿ｍａｘ＝４の場合、ｎＳＲＳ＝８であり、ＮＳＰ＝２、ｎｆ＝２、ｎＳ＝３、Ｔｏｆｆｓｅｔ＝４、Ｔｏｆｆｓｅｔ＿ｍａｘ＝４の場合、ｎＳＲＳ＝９であり、ＮＳＰ＝２、ｎｆ＝２、ｎＳ＝１９、Ｔｏｆｆｓｅｔ＝１、Ｔｏｆｆｓｅｔ＿ｍａｘ＝４の場合、ｎＳＲＳ＝１０であり、ＮＳＰ＝２、ｎｆ＝２、ｎＳ＝１９、Ｔｏｆｆｓｅｔ＝４、Ｔｏｆｆｓｅｔ＿ｍａｘ＝４の場合、ｎＳＲＳ＝１１である。
【００８０】
（二）ｎｆ＝３のサブフレームにおいては、このＵＥがＳＲＳを送信する回数は、１２、１３、１４、１５であり、即ち、ＮＳＰ＝２、ｎｆ＝３、ｎＳ＝３、Ｔｏｆｆｓｅｔ＝１、Ｔｏｆｆｓｅｔ＿ｍａｘ＝４の場合、ｎＳＲＳ＝１２であり、ＮＳＰ＝２、ｎｆ＝３、ｎＳ＝３、Ｔｏｆｆｓｅｔ＝４、Ｔｏｆｆｓｅｔ＿ｍａｘ＝４の場合、ｎＳＲＳ＝１３であり、ＮＳＰ＝２、ｎｆ＝３、ｎＳ＝１９、Ｔｏｆｆｓｅｔ＝１、Ｔｏｆｆｓｅｔ＿ｍａｘ＝４の場合、ｎＳＲＳ＝１４であり、ＮＳＰ＝２、ｎｆ＝３、ｎＳ＝１９、Ｔｏｆｆｓｅｔ＝４、Ｔｏｆｆｓｅｔ＿ｍａｘ＝４の場合、ｎＳＲＳ＝１５である。
【００８１】
上記の計算結果から見て、ＳＲＳの送信回数が連続して逓増する。
【００８２】
装置の実施例
本発明の実施例によると、信号送信制御装置が提供することにある。
【００８３】
図６は、本発明の装置に係る実施例による信号送信制御装置の構造を示す。図６に示すように、当該装置は、入力モジュール６０、第一処理モジュール６２、第二処理モジュール６４、第三処理モジュール６６、制御モジュール６８を含む。
【００８４】
以下、上記モジュールの機能を詳しく説明する。入力モジュール６０は、システムの１つの無線フレームでのダウンリンクからアップリンクまでの転換点の数（ＮＳＰ）、システムフレーム番号（ｎｆ）、タイムスロット番号（ｎＳ）、信号のサブフレームオフセット（Ｔｏｆｆｓｅｔ）を入力する。
【００８５】
第一処理モジュール６２は、入力モジュール６０に接続され、システムの１つの無線フレームでのダウンリンクからアップリンクまでの転換点の数（ＮＳＰ）、システムフレーム番号（ｎｆ）により第１パラメーター値ｎ１を確定する。
【００８６】
第二処理モジュール６４は、入力モジュール６０に接続され、１つの無線フレームでのダウンリンクからアップリンクまでの転換点の数（ＮＳＰ）、タイムスロット番号（ｎＳ）により第２パラメーター値ｎ２を確定する。
【００８７】
第三処理モジュール６６は、入力モジュール６０に接続され、信号のサブフレームオフセット（Ｔｏｆｆｓｅｔ）により第３パラメーター値（ｎ３）を確定する。
【００８８】
制御モジュール６８は、第一処理モジュール６２、第二処理モジュール６４、第三処理モジュール６６に接続され、第一処理モジュールが確定した第１パラメーター値（ｎ１）、第二処理モジュールが確定した第２パラメーター値（ｎ２）、第三処理モジュールが確定した第３パラメーター値（ｎ３）により信号の送信回数（ｎＳＲＳ）を確定する。具体的な実施プロセスにおいて、この制御モジュール６８は、加算器であることが好ましい。
【００８９】
本発明に係る実施例に記載の信号送信制御装置によれば、連続するＳＲＳの送信回数を計算することができて、同一ＳＲＳ周期のＵＥが同一の時点に同じＳＲＳの送信回数を持たせるようにして、さらに理想的な周波数ホッピング性能を得る。
【００９０】
上述したように、本発明が提供する信号送信制御方法と／あるいは装置を借りて、相関するパラメーター（１つの無線フレームでのダウンリンクからアップリンクまでの転換点の数、システムフレーム番号、タイムスロット番号、信号のサブフレームオフセット、信号のサブフレームオフセットの最大値）により相応するパラメーター値（第１パラメーター値、第２パラメーター値、第３パラメーター値）を計算し、かつ、これらのパラメーター値の和を信号の送信回数とすることで、連続するＳＲＳの送信回数を計算することができて、同一ＳＲＳ周期のＵＥが同一の時点に同じＳＲＳの送信回数を持たせて、そして、ＵＥにとって送信回数が連続して逓増する目的を達成して、理想的な周波数ホッピング性能を得る。
【００９１】
本発明に係る実施例によれば、また、コンピュータ可読媒質が提供することにある。当該コンピュータ可読媒質は、プログラムのコードを持って、このプログラムのコードが実行される場合、プロセッサーは本発明に係る実施例による信号送信の制御方法を実行させることができて、具体的には上記の通りである。このプロセッサーは、ンピュータに設けられてよいし、ネットワークシステムに設けられてもよい。本発明は、上記の可読媒質またはプロセッサーを実現する用の任意のソフトウェア及び／またはハードウエアの組合せに限定されるわけではない。
【００９２】
上述は本発明の実施形態しかなく、本発明に限定されるものではなく、当業者にとっては、様々な変更と変化が得れる。特許請求の範囲の中で述べられている、当業者であれば本発明の精神及び範囲内で、補正、および同等物が、当業者には明らかとなろう。
【図１】
0005404793.tif 000062
【図２】
0005404793.tif 000063
【図３】
0005404793.tif 000064
【図４】
0005404793.tif 000065
【図５】
0005404793.tif 000066
【図６】
0005404793.tif 000067